(57)【要約】【解決手段】  お気に入りの釣竿（２）に、お気に入りの嵌着装置本体（１）を装着固定しようとするに際して、釣竿（２）の外径と、嵌着装置本体（１）の凹部の内径が、ミスマッチで装着困難であっても、可逆的且つ非接着的に、釣竿（２）のフェルール部（２ｂ’）の外径を増加せしめ、又は、減少せしめ、嵌着装置本体（１）の内径に合わせることを可能とするコネクター（９９）。【効果】（１）ハンドルと釣竿の外径がかけ離れてミスマッチであっても嵌着可能となる。（２）ハンドルと釣竿を容易且つ迅速に固定／脱着が可能となる。（３）装着に要する時間が瞬時であり、嵌着操作も極めて容易である。【選択図】  図１１
2011109983.tif 000002
【特許請求の範囲】
【請求項１】
ホルダー（９９ａ）、スリーブ（９９ｂ）、及び、キャップ（９９ｃ）を含んで構成されるアダプターであって、
ホルダー（９９ａ）は、前孔（９９ａ−５）と奥孔（９９ａ−３）を備え、前孔（９９ａ−５）は奥孔（９９ａ−３）と比較して相対的に大きな内径を有すると共に、前孔（９９ａ−５）と奥孔（９９ａ−３）との境界には、前孔方向に開いた雌テーパー（９９ａ−１）を有し、前孔（９９ａ−５）に開口部を有した筒状形状を有し、前孔（９９ａ−５）の開口部の外側には雄螺旋（９９ａ−２）を有し、ホルダー（９９ａ）の筒状形状内側に、筒状形状をしたスリーブ（９９ｂ）を開口部から挿入することにより、ホルダー（９９ａ）の内壁とスリーブ（９９ｂ）の外壁が嵌合することが可能であり、
スリーブ（９９ｂ）は、両端に開口を具備した筒状形状を有し、その筒状形状の内側で、釣竿（２）のフェルール部（２ｂ’）を開口から挿入することにより、フェルール部（２ｂ’）の外側を貫通させて嵌合することが可能であり、筒状形状の外側の両端には雄テーパー（９９ｂ−１）が設けてあり、
スリーブ（９９ｂ）を縦断する方向に少なくとも一つのスリット（Ｓ）が設けてあり、
キャップ（９９ｃ）は、底側の出口孔（９９ｃ−３）と天側の入口孔（９９ｃ−５）を有し、出口孔（９９ｃ−３）は入口孔（９９ｃ−５）と比較して相対的に大きな内径を有し、出口孔（９９ｃ−３）の内側には雌螺旋（９９ｃ−２）を有し、入口孔（９９ｃ−５）の内側には出口孔（９９ｃ−３）方向に開いた雌テーパー（９９ｃ−１）が設けてある天抜き袋ナットであり、
ホルダー（９９ａ）の雄螺旋（９９ａ−２）とキャップ（９９ｃ）の雌螺旋（９９ｃ−２）との間の螺合を進行させることによって、
ホルダー（９９ａ）の雌テーパー（９９ａ−１）とスリーブ（９９ｂ）の雄テーパー（９９ｂ−１）を相互に楔状に圧接せしめ、
キャップ（９９ｃ）の雌テーパー（９９ｃ−１）とスリーブ（９９ｂ）の雄テーパー（９９ｂ−１）を相互に楔状に圧接せしめることにより、
スリーブ（９９ｂ）のスリット（Ｓ）の隙間を狭まめ、
ホルダー（９９ａ）の筒状内壁とスリーブ（９９ｂ）の筒状外壁を圧接嵌着せしめ、スリーブ（９９ｂ）の筒状形状の内壁と釣竿（２）に固定したフェルール部（２ｂ’）の外壁を圧接嵌着せしめることにより、
嵌着装置本体（１）の固定具（５）に嵌着することが困難な外径を有する釣竿（２）のフェルール部（２ｂ’）の外径（Ｒf1）を、コネクター（９９）のホルダー（９９ａ）部の外径（Ｒh）に増加、又は、減少させて変換せしめることにより、嵌着装置本体（１）の固定具（５）に嵌着することが可能とする機能を奏するアダプター。
【請求項２】
ホルダー（９９ａ）、スリーブ（９９ｂ）、及び、キャップ（９９ｃ）を含んで構成されるアダプターであって、
ホルダー（９９ａ）は、前孔（９９ａ−５）と奥孔（９９ａ−３）を備え、前孔（９９ａ−５）は奥孔（９９ａ−３）と比較して相対的に大きな内径を有すると共に、前孔（９９ａ−５）と奥孔（９９ａ−３）との境界には、前孔方向に開いた雌テーパー（９９ａ−１）を有し、前孔（９９ａ−５）に開口部を有した筒状形状を有し、前孔（９９ａ−５）の開口部の外側には雄螺旋（９９ａ−２）を有し、ホルダー（９９ａ）の筒状形状内側に、筒状形状をしたスリーブ（９９ｂ）を開口部から挿入することにより、ホルダー（９９ａ）の内壁とスリーブ（９９ｂ）の外壁が嵌合することが可能であり、
スリーブ（９９ｂ）は、両端に開口を具備した筒状形状を有し、その筒状形状の内側で、釣竿（２）のフェルール部（２ｂ’）を開口から挿入することにより、フェルール部（２ｂ’）の外側を貫通させて嵌合することが可能であり、筒状形状の外側の両端には雄テーパー（９９ｂ−１）が設けてあり、
スリーブ（９９ｂ）を縦断する方向に少なくとも一つのスリット（Ｓ）が設けてあり、
キャップ（９９ｃ）は、底側の出口孔（９９ｃ−３）と天側の入口孔（９９ｃ−５）を有し、出口孔（９９ｃ−３）は入口孔（９９ｃ−５）と比較して相対的に大きな内径を有し、出口孔（９９ｃ−３）の内側には雌螺旋（９９ｃ−２）を有し、入口孔（９９ｃ−５）の内側には出口孔（９９ｃ−３）方向に開いた雌テーパー（９９ｃ−１）が設けてある天抜き袋ナットであり、
ホルダー（９９ａ）の雄螺旋（９９ａ−２）とキャップ（９９ｃ）の雌螺旋（９９ｃ−２）との間の螺合を進行させることによって、
ホルダー（９９ａ）の雌テーパー（９９ａ−１）とスリーブ（９９ｂ）の雄テーパー（９９ｂ−１）を相互に楔状に圧接せしめ、
キャップ（９９ｃ）の雌テーパー（９９ｃ−１）とスリーブ（９９ｂ）の雄テーパー（９９ｂ−１）を相互に楔状に圧接せしめ
スリーブ（９９ｂ）のスリット（Ｓ）の隙間を狭まめ、
ホルダー（９９ａ）の筒状内壁とスリーブ（９９ｂ）の筒状外壁を圧接嵌着せしめ、スリーブ（９９ｂ）の筒状形状の内壁と釣竿（２）に固定したフェルール部（２ｂ’）の外壁を圧接嵌着せしめることにより、
嵌着装置本体（１）の固定具（５）に嵌着することが困難な外径を有する釣竿（２）のフェルール部（２ｂ’）の外径（Ｒf1）を、コネクター（９９）のホルダー（９９ａ）部の外径（Ｒh）に増加、又は、減少させて変換せしめることにより、嵌着装置本体（１）の固定具（５）に嵌着することが可能とする機能を奏するアダプターであって、
嵌着装置本体（１）の形状を規定するパラメーターを、
ｒg；嵌着装置本体（１）の固定具（５）の内径、及び、
Ｌg；嵌着装置本体（１）の凹窪（３）の奥行き、
釣竿（２）に固定したフェルール（２ｂ）部の形状を規定するパラメーターを、
Ｌf1；フェルール凸部（２ｂ−１）の長さ、及び、
Ｒf1；フェルール凸部（２ｂ−１）の外径、
コネクター（９９）を構成するホルダー（９９ａ）の形状を規定するパラメーターを、
ｒh1；ホルダー（９９ａ）の前孔（９９ａ−５）の直径、
ｒh2；ホルダー（９９ａ）の奥孔（９９ａ−３）の直径、
Ｌh2；ホルダー（９９ａ）の前孔（９９ａ−５）の長さ、
Ｌh3；ホルダー（９９ａ）の奥孔（９９ａ−３）の長さ、
Ｌh4；ホルダー（９９ａ）の嵌着装置本体（１）への挿入部の長さ
Ｒh；ホルダー（９９ａ）の外径、
Ｌf1'；フェルール凸部のスリーブ（９９ｂ）からの突出部の長さ、
Ｒs2；スリーブ（９９ｂ）のフェルール（２ｂ）挿入後の外径、及び、
コネクター（９９）を構成するスリーブ（９９ｂ）の形状を規定するパラメーターを、
Ｌs ；スリーブ（９９ｂ）の長さ
コネクター（９９）を構成するキャップ（９９ｃ）の形状を規定するパラメーターを、
Ｌc2；雌螺旋を切った長さ
としたときに、
嵌着装置本体（１）とコネクター（９９）との関係において、
ｒg − １［ｍｍ］  ≦  Ｒh  ≦  ｒg        （１）
Ｌg ×０．８  ≦  Ｌh4  ≦  Ｌg            （２）
の関係式を満たし、
コネクター（９９）とフェルール（２ｂ）との関係において、
ｒg − １［ｍｍ］  ≦  Ｒh  ≦  ｒg         （３）
Ｌf1 ×０．６  ≦  Ｌs  ≦  Ｌf1            （４）
Ｒf1  ≦  ｒh2                              （５）
の関係式を満たし、
コネクター（９９）におけるホルダー（９９ａ）、フェルールを装着した状態のスリーブ（９９ｂ）、及び、キャップ（９９ｃ）との関係において、
Ｌh2 ＜   Ｌs   ≦  Ｌh2 ＋ Ｌc2              （６）
Ｌf1' ≦  Ｌh3                                （７）
Ｒs2  ≦  ｒh1                                （８）
の関係式を満たすことを特徴とする
嵌着装置本体（１）の固定具（５）に嵌着することが困難な外径を有する釣竿（２）のフェルール部（２ｂ’）の外径を増加、又は、減少せしめることにより、嵌着装置本体（１）の固定具（５）に嵌着することが可能とする機能を奏するアダプター。
【発明の詳細な説明】
【技術分野】
【０００１】
本発明は、嵌着装置本体（１）の固定具（５）に嵌着することが困難な外径を有する釣竿（２）のフェルール部（２ｂ’）の外径（Ｒf1）を、コネクター（９９）のホルダー（９９ａ）部の外径（Ｒh）に増加、又は、減少させて変換せしめることにより、嵌着装置本体（１）の固定具（５）に嵌着することが可能とする機能を奏するアダプター（１０）に関する。
【背景技術】
【０００２】
実公昭５１−０２８３０６号、及び、米国特許第４０４４４８８号に開示されている釣竿の嵌着装置本体（１）（釣竿の嵌着ハンドル）は、日本のみならず、海外においても、あまねく釣り人に愛されている使いやすい製品である。
この嵌着装置本体（１）の具体的態様としては、例えば、市販品の富士工業株式会社製「フジグリップ（商品名）」を挙げることができる。
検索エンジンにて、検索キーワード窓に「フジグリップ」と入力して画像検索をすると、「フジグリップ」について、活発にオークションが行われている実態を把握することが出来る。
一方、釣竿の持ち手側（穂先側の反対側）の末端には、フェルール（２ｂ）を取り付けて固定することが一般的に行われている。
フェルールは、例えば、釣具の製造販売企業である羽田クラフト（東京都大田区大森北5-14-6、03-3761-6823、http://www.hanecra.com）等により市販されている。
釣竿の外径も、嵌着装置本体（１）の凹部の内径も、様々なサイズのものが存在するために、あらゆる組合せに対応できるように、様々なサイズのフェルールが市販されている。
フェルールの本来的な機能は、お気に入りの釣竿（２）に、お気に入りの嵌着装置本体（１）を装着固定しようとするに際して、釣竿（２）の外径と、嵌着装置本体（１）の凹部の内径が、ミスマッチングであるがために装着困難であるような場合において、釣竿の外径を増して、又は、減じて、嵌着装置本体（１）の内径に合わせるというものである。
然るに、実公昭５１−０２８３０６号、及び、米国特許第４０４４４８８号に開示されている釣竿の嵌着装置本体（１）（釣竿の嵌着ハンドル）は、あまねく釣り人に愛されている使いやすい製品ではあるが、嵌着することが可能な釣竿の太さは、嵌着装置本体（１）の固定具の内径に即した太さに限定されてしまい、他の太さの釣竿には適用することが困難であるのが実情である。
特に、嵌着装置本体（１）の固定具の内径は、市販されているフェルールの一般的な外径（例えば９ｍｍ）と比較して、大幅に大きい（１６〜１７ｍｍ）ため、通常、そのままでは、釣竿のフェルール部を嵌着装置本体（１）に装着することは困難である。
図１には、長さ方向断面図により、従来の技術（実公昭５１−０２８３０６号、米国特許第４０４４４８８号）に開示されている釣竿の嵌着装置本体（１）（釣竿の嵌着ハンドル）の構造、及び、この嵌着装置本体（１）への釣竿の装着方法を示した。
そのままでは釣竿の嵌着装置本体（１）に装着することが困難である釣竿については、例えば、市販されているアダプター（例えば、市販品の富士工業株式会社製「コネット（商品名）」）を釣竿のフェルール部に挿入接着することによって、釣竿の嵌着装置本体（１）に装着することも可能ではある。
しかしながら、釣竿のフェルール部にアダプターを一旦接着固定してしまうと、もはやアダプターを脱着して元の釣竿に戻すことは困難であるという問題があった。
【先行技術文献】
【特許文献】
【０００３】
【特許文献１】実公昭５１−０２８３０６号公報
【特許文献２】米国特許第４０４４４８８号公報
【非特許文献】
【０００４】
【非特許文献１】羽田クラフト製品ガイド（ＵＲＬ；http://www.hanecra.com/list00.php?i_id=379&mode=2）
【発明の概要】
【発明が解決しようとする課題】
【０００５】
従来の技術においては、図２に示したように、釣竿（２）のフェルール部（２ｂ’）に不可逆的にアダプター（１０）を接着固定してしまうために、一旦、釣竿（２）にアダプター（１０）を接着固定してしまうと、釣竿（２）とアダプター（１０）を分離することが困難であり、釣竿を別の使い方に転用することが困難であった。
また、接着固定に際しては、接着剤が必要であり、接着後には、接着固化時間や養生時間が必要であり、接着直後に釣竿を使用することが困難であった。
本願発明が解決しようとする課題は、上記した従来の技術における問題点に鑑み、釣竿（２）のフェルール部（２ｂ’）に不可逆的に接着固定するアダプター（１０）ではなく、可逆的に非接着的に脱着可能なアダプターを提供することである。
【課題を解決するための手段】
【０００６】
本出願に係る発明は、「特許請求の範囲」に記載した「請求項１」〜「請求項２」に記載した事項により特定される。
【０００７】
［特許請求の範囲］
［請求項１］
ホルダー（９９ａ）、スリーブ（９９ｂ）、及び、キャップ（９９ｃ）を含んで構成されるアダプターであって、
ホルダー（９９ａ）は、前孔（９９ａ−５）と奥孔（９９ａ−３）を備え、前孔（９９ａ−５）は奥孔（９９ａ−３）と比較して相対的に大きな内径を有すると共に、前孔（９９ａ−５）と奥孔（９９ａ−３）との境界には、前孔方向に開いた雌テーパー（９９ａ−１）を有し、前孔（９９ａ−５）に開口部を有した筒状形状を有し、前孔（９９ａ−５）の開口部の外側には雄螺旋（９９ａ−２）を有し、ホルダー（９９ａ）の筒状形状内側に、筒状形状をしたスリーブ（９９ｂ）を開口部から挿入することにより、ホルダー（９９ａ）の内壁とスリーブ（９９ｂ）の外壁が嵌合することが可能であり、
スリーブ（９９ｂ）は、両端に開口を具備した筒状形状を有し、その筒状形状の内側で、釣竿（２）のフェルール部（２ｂ’）を開口から挿入することにより、フェルール部（２ｂ’）の外側を貫通させて嵌合することが可能であり、筒状形状の外側の両端には雄テーパー（９９ｂ−１）が設けてあり、
スリーブ（９９ｂ）を縦断する方向に少なくとも一つのスリット（Ｓ）が設けてあり、
キャップ（９９ｃ）は、底側の出口孔（９９ｃ−３）と天側の入口孔（９９ｃ−５）を有し、出口孔（９９ｃ−３）は入口孔（９９ｃ−５）と比較して相対的に大きな内径を有し、出口孔（９９ｃ−３）の内側には雌螺旋（９９ｃ−２）を有し、入口孔（９９ｃ−５）の内側には出口孔（９９ｃ−３）方向に開いた雌テーパー（９９ｃ−１）が設けてある天抜き袋ナットであり、
ホルダー（９９ａ）の雄螺旋（９９ａ−２）とキャップ（９９ｃ）の雌螺旋（９９ｃ−２）との間の螺合を進行させることによって、
ホルダー（９９ａ）の雌テーパー（９９ａ−１）とスリーブ（９９ｂ）の雄テーパー（９９ｂ−１）を相互に楔状に圧接せしめ、
キャップ（９９ｃ）の雌テーパー（９９ｃ−１）とスリーブ（９９ｂ）の雄テーパー（９９ｂ−１）を相互に楔状に圧接せしめることにより、
スリーブ（９９ｂ）のスリット（Ｓ）の隙間を狭まめ、
ホルダー（９９ａ）の筒状内壁とスリーブ（９９ｂ）の筒状外壁を圧接嵌着せしめ、スリーブ（９９ｂ）の筒状形状の内壁と釣竿（２）に固定したフェルール部（２ｂ’）の外壁を圧接嵌着せしめることにより、
嵌着装置本体（１）の固定具（５）に嵌着することが困難な外径を有する釣竿（２）のフェルール部（２ｂ’）の外径（Ｒf1）を、コネクター（９９）のホルダー（９９ａ）部の外径（Ｒh）に増加、又は、減少させて変換せしめることにより、嵌着装置本体（１）の固定具（５）に嵌着することが可能とする機能を奏するアダプター。
［請求項２］
ホルダー（９９ａ）、スリーブ（９９ｂ）、及び、キャップ（９９ｃ）を含んで構成されるアダプターであって、
ホルダー（９９ａ）は、前孔（９９ａ−５）と奥孔（９９ａ−３）を備え、前孔（９９ａ−５）は奥孔（９９ａ−３）と比較して相対的に大きな内径を有すると共に、前孔（９９ａ−５）と奥孔（９９ａ−３）との境界には、前孔方向に開いた雌テーパー（９９ａ−１）を有し、前孔（９９ａ−５）に開口部を有した筒状形状を有し、前孔（９９ａ−５）の開口部の外側には雄螺旋（９９ａ−２）を有し、ホルダー（９９ａ）の筒状形状内側に、筒状形状をしたスリーブ（９９ｂ）を開口部から挿入することにより、ホルダー（９９ａ）の内壁とスリーブ（９９ｂ）の外壁が嵌合することが可能であり、
スリーブ（９９ｂ）は、両端に開口を具備した筒状形状を有し、その筒状形状の内側で、釣竿（２）のフェルール部（２ｂ’）を開口から挿入することにより、フェルール部（２ｂ’）の外側を貫通させて嵌合することが可能であり、筒状形状の外側の両端には雄テーパー（９９ｂ−１）が設けてあり、
スリーブ（９９ｂ）を縦断する方向に少なくとも一つのスリット（Ｓ）が設けてあり、
キャップ（９９ｃ）は、底側の出口孔（９９ｃ−３）と天側の入口孔（９９ｃ−５）を有し、出口孔（９９ｃ−３）は入口孔（９９ｃ−５）と比較して相対的に大きな内径を有し、出口孔（９９ｃ−３）の内側には雌螺旋（９９ｃ−２）を有し、入口孔（９９ｃ−５）の内側には出口孔（９９ｃ−３）方向に開いた雌テーパー（９９ｃ−１）が設けてある天抜き袋ナットであり、
ホルダー（９９ａ）の雄螺旋（９９ａ−２）とキャップ（９９ｃ）の雌螺旋（９９ｃ−２）との間の螺合を進行させることによって、
ホルダー（９９ａ）の雌テーパー（９９ａ−１）とスリーブ（９９ｂ）の雄テーパー（９９ｂ−１）を相互に楔状に圧接せしめ、
キャップ（９９ｃ）の雌テーパー（９９ｃ−１）とスリーブ（９９ｂ）の雄テーパー（９９ｂ−１）を相互に楔状に圧接せしめることにより、
スリーブ（９９ｂ）のスリット（Ｓ）の隙間を狭まめ、
ホルダー（９９ａ）の筒状内壁とスリーブ（９９ｂ）の筒状外壁を圧接嵌着せしめ、スリーブ（９９ｂ）の筒状形状の内壁と釣竿（２）に固定したフェルール部（２ｂ’）の外壁を圧接嵌着せしめることにより、
嵌着装置本体（１）の固定具（５）に嵌着することが困難な外径を有する釣竿（２）のフェルール部（２ｂ’）の外径（Ｒf1）を、コネクター（９９）のホルダー（９９ａ）部の外径（Ｒh）に増加、又は、減少させて変換せしめることにより、嵌着装置本体（１）の固定具（５）に嵌着することが可能とする機能を奏するアダプターであって、
嵌着装置本体（１）の形状を規定するパラメーターを、
ｒg；嵌着装置本体（１）の固定具（５）の内径、及び、
Ｌg；嵌着装置本体（１）の凹窪（３）の奥行き、
釣竿（２）に固定したフェルール（２ｂ）部の形状を規定するパラメーターを、
Ｌf1；フェルール凸部（２ｂ−１）の長さ、及び、
Ｒf1；フェルール凸部（２ｂ−１）の外径、
コネクター（９９）を構成するホルダー（９９ａ）の形状を規定するパラメーターを、
ｒh1；ホルダー（９９ａ）の前孔（９９ａ−５）の直径、
ｒh2；ホルダー（９９ａ）の奥孔（９９ａ−３）の直径、
Ｌh2；ホルダー（９９ａ）の前孔（９９ａ−５）の長さ、
Ｌh3；ホルダー（９９ａ）の奥孔（９９ａ−３）の長さ、
Ｌh4；ホルダー（９９ａ）の嵌着装置本体（１）への挿入部の長さ
Ｒh；ホルダー（９９ａ）の外径、
Ｌf1'；フェルール凸部のスリーブ（９９ｂ）からの突出部の長さ、
Ｒs2；スリーブ（９９ｂ）のフェルール（２ｂ）挿入後の外径、及び、
コネクター（９９）を構成するスリーブ（９９ｂ）の形状を規定するパラメーターを、
Ｌs ；スリーブ（９９ｂ）の長さ
コネクター（９９）を構成するキャップ（９９ｃ）の形状を規定するパラメーターを、
Ｌc2；雌螺旋を切った長さ
としたときに、
嵌着装置本体（１）とコネクター（９９）との関係において、
ｒg − １［ｍｍ］  ≦  Ｒh  ≦  ｒg        （１）
Ｌg ×０．８  ≦  Ｌh4  ≦  Ｌg            （２）
の関係式を満たし、
コネクター（９９）とフェルール（２ｂ）との関係において、
ｒg − １［ｍｍ］  ≦  Ｒh  ≦  ｒg         （３）
Ｌf1 ×０．６  ≦  Ｌs  ≦  Ｌf1            （４）
Ｒf1  ≦  ｒh2                              （５）
の関係式を満たし、
コネクター（９９）におけるホルダー（９９ａ）、フェルールを装着した状態のスリーブ（９９ｂ）、及び、キャップ（９９ｃ）との関係において、
Ｌh2 ＜   Ｌs   ≦  Ｌh2 ＋ Ｌc2              （６）
Ｌf1' ≦  Ｌh3                                （７）
Ｒs2  ≦  ｒh1                                （８）
の関係式を満たすことを特徴とする
嵌着装置本体（１）の固定具（５）に嵌着することが困難な外径を有する釣竿（２）のフェルール部（２ｂ’）の外径を増加、又は、減少せしめることにより、嵌着装置本体（１）の固定具（５）に嵌着することが可能とする機能を奏するアダプター。
【発明の効果】
【０００８】
［発明の効果〜１］
従来の技術によったのであれば、ハンドル（嵌着装置本体（１））の内径と釣竿（２）の外径がかけ離れていてミスマッチな関係にあっても、アダプター（１０）を使用することなく、本願発明に係るコネクター（９９）を介在させることにより、両者（釣竿とハンドル）を嵌着させることが可能となる。
本願発明に係るコネクター（９９）は、お気に入りの釣竿（２）のフェルール部（２ｂ’）に、お気に入りの嵌着装置本体（１）を装着固定しようとするに際して、釣竿（２）の外径と、嵌着装置本体（１）の凹部の内径が、ミスマッチングであるがために装着困難であるような場合において、可逆的且つ非接着的に介在せしめることにより、釣竿（２）のフェルール部（２ｂ’）の外径を増加せしめ、又は、減少せしめ、嵌着装置本体（１）の内径に合わせることが可能となる。
【０００９】
［発明の効果〜２］
従来の技術によったのであれば、ハンドル（嵌着装置本体（１））と釣竿（２）を嵌着するに先立ち、釣竿（２）とアダプター（１０）を、不可逆的に接着固定する必要があるので、一旦、両者（釣竿とアダプター）を接着固定してしまうと、両者を爾後分離することが困難であったが、本願発明に係るコネクター（９９）を介在させることにより、両者（釣竿とハンドル）を嵌着させても、爾後極めて容易且つ迅速に分離することが可能となる。
可逆的且つ非接着的に嵌合固定するので、一旦、釣竿（２）のフェルール部（２ｂ’）にコネクター（９９）を固定しても、釣竿（２）とコネクター（９９）を容易に分離することが可能であり、釣竿を別の使い方に転用することが容易であるという大きな利点がある。
【００１０】
［発明の効果〜３］
従来の技術によったのであれば、ハンドル（嵌着装置本体（１））と釣竿（２）を嵌着するに先立ち、釣竿（２）とアダプター（１０）を、不可逆的に接着する必要があるために、接着剤の固化が完了するのに長時間を要したけれども、本願発明に係るコネクター（９９）を介在させることにより、両者（釣竿とハンドル）を嵌着させるのに要する時間は瞬時であり、嵌着操作も極めて容易であるために、嵌着後直ちに使用が可能となる。
コネクター（９９）を接着固定をしないので、接着剤が不要であり、接着固化時間や養生時間が不要であり、嵌着固定直後に迅速に釣竿を使用することが可能であるという大きな利点がある。
【発明を実施するための形態】
【００１１】
［図１］
図１に、長さ方向断面図により、従来の技術（実公昭５１−０２８３０６号、米国特許第４０４４４８８号）に開示されている釣竿の嵌着装置本体（１）（釣竿の嵌着ハンドル）の構造、及び、この嵌着装置本体（１）への釣竿の装着方法を示した。
この嵌着装置本体（１）の具体的態様としては、例えば、市販品の富士工業株式会社製「フジグリップ（商品名）」を一例として挙げることができる。
図１（Ａ）には、長さ方向断面図（長さ方向に沿って中央で切断した模式断面図）により、嵌着装置本体（１）を示した。
図１（Ｂ）には、長さ方向断面図（長さ方向に沿って中央で切断した模式断面図）により、釣竿（２）を、市販されているアダプター（１０）に挿入して接着した状態を示した。
このアダプター（１０）の具体的態様としては、例えば、市販品の富士工業株式会社製「コネット（商品名）」を一例として挙げることができる。
図１（Ｃ）には、長さ方向断面図（長さ方向に沿って中央で切断した模式断面図）により、嵌着装置本体（１）にアダプター（１０）を介して釣竿（２）を装着した状態を示した。
【００１２】
［図２］
図２に、従来の技術における、釣竿（２）のフェルール部（２ｂ’）に不可逆的にアダプター（１０）を接着固定し、接着固定したアダプター（１０）を介して嵌着装置本体（１）に装着する手順を示した。
まず、図２（Ａ）に示したように、竿部（２ａ）とフェルール（２ｂ）を用意する。
次に、図２（Ｂ）に示したように、フェルール（２ｂ）の筒状の内部に竿部（２ａ）を挿入する。
挿入の際には、フェルール（２ｂ）と竿部（２ａ）の接触面に接着剤を塗布して、両者を接着固定する。
両者を接着固定することにより、竿部（２ａ’）とフェルール部（２ｂ’）から構成される釣竿（２）が完成する。
釣竿（２）のアダプター（１０）に挿入する部分の外径が、アダプター（１０）の内径と比較して、小さ過ぎる。
そのため、釣竿（２）を、アダプター（１０）に装着するに際して、釣竿（２）にフェルール（２ｂ）を固定することによって、釣竿（２）側の外径を、アダプター（１０）のの内径に合わせることができる。
次に、図２（Ｃ）に示したように、アダプター（１０）の筒状の内部に釣竿（２）を挿入する。
挿入の際には、アダプター（１０）と釣竿（２）の界面に接着剤を塗布して、両者を接着固定する。
図２（Ｃ）に示した作業の詳細は、図３に示す。
次に、図２（Ｄ）に示したように、両者を接着固定することにより、アダプター部（１０’）を取り付けた釣竿（２）が完成する。
釣竿（２）のフェルール部（２ｂ’）の嵌着装置本体（１）に挿入する部分の外径が、嵌着装置本体（１）の固定具（５）の内径と比較して、小さ過ぎる。
そのため、釣竿（２）のフェルール部（２ｂ’）を、嵌着装置本体（１）に装着するに際して、釣竿（２）のフェルール部（２ｂ’）にアダプター（１０）を固定することによって、釣竿（２）側の外径を、嵌着装置本体（１）の固定具（５）の内径に合わせることができる。
次に、図２（Ｅ）に示したように、アダプター部（１０’）を取り付けた釣竿（２）と嵌着装置本体（１）を用意する。
嵌着装置本体（１）の固定具（５）の筒状内側に設けられている雌螺旋（４’）は、雄螺旋（４）と螺合している。
予め、固定具（５）の雌螺旋（４’）と雄螺旋（４）との螺合を緩めておく。
釣竿（２）のアダプター部（１０’）を、固定具（５）の筒状内側から凹窪（３）方向に可能な限り挿入する。
挿入後、固定具（５）の雌螺旋（４’）と雄螺旋（４）との螺合を締め付ける。
次に、図２（Ｆ）に示したように、固定具（５）の雌螺旋（４’）と雄螺旋（４）との螺合の締め付けを完了することにより、釣竿（２）のアダプター（１０）を介した嵌着装置本体（１）へのしっかりとした固定装着が完了する。
【００１３】
［図３］
図３に、従来の技術における、釣竿（２）のフェルール部（２ｂ’）に、アダプター（１０）を接着固定する手順を示した。
アダプター（１０）の筒状の内部に釣竿（２）のフェルール部（２ｂ’）を挿入する。
挿入の際には、アダプター（１０）と釣竿（２）のフェルール部（２ｂ’）との接触面に接着剤を塗布して、両者を接着固定する。
両者を、しっかりと接着固定することにより、釣竿（２）のフェルール部（２ｂ’）に、アダプター部（１０’）を取り付けた釣竿（２）が完成する。
【００１４】
［図４］
図４は、従来の技術における、釣竿（２）のアダプター（１０）を介した嵌着装置本体（１）への装着手順を示した。
図４（Ａ）に示したように、アダプター部（１０’）を取り付けた釣竿（２）と、嵌着装置本体（１）を用意する。
釣竿（２）のアダプター部（１０’）と嵌着装置本体（１）の固定具（５）を対峙させる。
嵌着装置本体（１）の固定具（５）の筒状内側に設けられている雌螺旋（４’）は、雄螺旋（４）と螺合している。
固定具（５）の雌螺旋（４’）と雄螺旋（４）との螺合を緩める。
図４（Ｂ）に示したように、釣竿（２）のアダプター部（１０’）を、固定具（５）の筒状内側から凹窪（３）方向に可能な限り奥方向まで挿入する。
挿入後、固定具（５）の雌螺旋（４’）と雄螺旋（４）との螺合を締め付ける。
図４（Ｃ）に示したように、固定具（５）の雌螺旋（４’）と雄螺旋（４）との螺合の締め付けを完了することにより、釣竿（２）のアダプター（１０）を介した嵌着装置本体（１）へのしっかりとした固定装着が完了する。
【００１５】
［図５］
図５に、長さ方向断面図（長さ方向に沿って中央で切断した模式断面図）により、フェルール（２ｂ）の基本構造と形状を規定する諸元を示した。
フェルール（２ｂ）の本来的な機能は、通常、お気に入りの釣竿（２）に、お気に入りの嵌着装置本体（１）を装着固定しようとするに際して、釣竿（２）の外径と、嵌着装置本体（１）の凹部の内径が、ミスマッチングであるがために装着困難であるような場合において、釣竿の外径を増して、又は、減じて、嵌着装置本体（１）の内径に合わせるというものである。
フェルール（２ｂ）を利用することにより、お気に入りの釣竿（２）と、お気に入りの嵌着装置本体（１）が、装着部部分の径についてミスマッチングであっても、両者をマッチングさせることが可能となる。
フェルールの基本構造は、フェルール凹部（２ｂ−２）とフェルール凸部（２ｂ−１）を含んで構成される。
フェルール凹部（２ｂ−２）の内側には、釣竿（２）を挿入する。
フェルール凸部（２ｂ−１）の外側は、嵌着装置本体（１）の凹部に挿入する。
このような基本構造を採用することにより、お気に入りの釣竿（２）外径と、お気に入りの嵌着装置本体（１）の内径が、ミスマッチな関係にあっても、両者をマッチングさせることが可能となる。
フェルールのサイズを規定する諸元は、基本的には、フェルール凹部（２ｂ−２）については、内径（ｒf）、奥行き（Ｌf2'）、外径（Ｒf2）、及び、長さ（Ｌf2）、フェルール凸部（２ｂ−１）については、外径（Ｒf1）、及び、長さ（Ｌf1）である。
フェルールは、例えば、釣具の製造販売企業である羽田クラフト（東京都大田区大森北5-14-6、03-3761-6823、http://www.hanecra.com）等により市販されている。
釣竿の外径も、嵌着装置本体（１）の凹部の内径も、様々なサイズのものが存在するために、あらゆる組合せに対応できるように、様々なサイズのフェルールが市販されている。
【００１６】
［図６］
図６に、フェルールの規格の一例として、釣竿の外径を増すタイプのフェルールであって、市場において広く流通している羽田クラフト（東京都大田区大森北5-14-6、03-3761-6823、http://www.hanecra.com）製フェルールの規格を示した。
フェルールのサイズを規定する諸元は、基本的には、フェルール凹部（２ｂ−２）については、内径（ｒf）、奥行き（Ｌf2'）、外径（Ｒf2）、及び、長さ（Ｌf2）、フェルール凸部（２ｂ−１）については、外径（Ｒf1）、及び、長さ（Ｌf1）である。
【００１７】
［図７］
図７には、長さ方向断面図（長さ方向に沿って中央で切断した模式断面図）により、従来の技術（実公昭５１−０２８３０６号、米国特許第４０４４４８８号）に開示されている釣竿の嵌着装置本体（１）（釣竿の嵌着ハンドル）への、本願発明に係るコネクター（９９）を介し、さらにフェルール（２ｂ）を介した釣竿（２）の装着手順を示した。
図７（Ａ）には、長さ方向断面図（長さ方向に沿って中央で切断した模式断面図）により、嵌着装置本体（１）、コネクター（９９）、フェルール（２ｂ）を示した。
図７（Ｂ）には、長さ方向断面図（長さ方向に沿って中央で切断した模式断面図）により、嵌着装置本体（１）と、フェルール（２ｂ）を嵌着したコネクター（９９）を示した。
図７（Ｂ）において、嵌着装置本体（１）の形状を規定するパラメーターは次のとおりである。
ｒg；嵌着装置本体（１）の固定具（５）の内径
Ｌg；嵌着装置本体（１）の凹窪（３）の奥行き
図７（Ｂ）において、コネクター（９９）を構成するホルダー（９９ａ）の形状を規定するパラメーターは、次のとおりである。
Ｌh4；ホルダー（９９ａ）の嵌着装置本体（１）への挿入部の長さ
Ｒh；ホルダー（９９ａ）の外径
図７（Ｃ）には、長さ方向断面図（長さ方向に沿って中央で切断した模式断面図）により、フェルール（２ｂ）を嵌着した状態のコネクター（９９）を、嵌着装置本体（１）に嵌着した状態を示した。
【００１８】
［図８］
図８に、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順を示した。
図２に示したように、従来の技術においては、釣竿（２）のフェルール部（２ｂ’）に不可逆的にアダプター（１０）を接着固定してしまうために、一旦、釣竿（２）にアダプター（１０）を接着固定してしまうと、釣竿（２）とアダプター（１０）を分離することが困難であり、釣竿を別の使い方に転用することが困難であった。
また、接着固定に際しては、接着剤が必要であり、接着後には、接着固化時間や養生時間が必要であり、接着直後に釣竿を使用することが困難であった。
対照的に、本願発明においては、釣竿（２）のフェルール部（２ｂ’）に可逆的にコネクター（９９）を嵌合固定するので、一旦、釣竿（２）のフェルール部（２ｂ’）にコネクター（９９）を固定しても、釣竿（２）とコネクター（９９）を容易に分離することが可能であり、釣竿を別の使い方に転用することが容易であるという大きな利点がある。
また、接着固定をしないので、接着剤が不要であり、接着固化時間や養生時間が不要であり、嵌着固定直後に迅速に釣竿を使用することが可能であるという大きな利点がある。
まず、図８（Ａ）に示したように、竿部（２ａ）とフェルール（２ｂ）を用意する。
次に、図８（Ｂ）に示したように、フェルール（２ｂ）の筒状の内部に竿部（２ａ）を挿入する。
挿入の際には、フェルール（２ｂ）と竿部（２ａ）の接触面に接着剤を塗布して、両者を接着固定する。
両者を接着固定することにより、竿部（２ａ’）とフェルール部（２ｂ’）から構成される釣竿（２）が完成する。
釣竿（２）のコネクター（９９）に挿入する部分の外径が、コネクター（９９）の内径と比較して、小さ過ぎる。
そのため、釣竿（２）を、コネクター（９９）に装着するに際して、釣竿（２）にフェルール（２ｂ）を固定することによって、釣竿（２）側の外径を、コネクター（９９）のの内径に合わせることができる。
次に、図８（Ｃ）に示したように、コネクター（９９）の筒状の内部に釣竿（２）のフェルール部（２ｂ’）を挿入する。
挿入の際には、コネクター（９９）におけるホルダー（９９ａ）の雄螺旋とキャップ（９９ｃ）の雌螺旋との螺合を緩めておく。
コネクター（９９）の筒状の内部に釣竿（２）のフェルール部（２ｂ’）を可能な限り奥方向まで挿入した後、コネクター（９９）におけるホルダー（９９ａ）の雄螺旋とキャップ（９９ｃ）の雌螺旋との螺合を締め付けることにより、釣竿（２）のフェルール部（２ｂ’）とコネクター（９９）の嵌着が完了する。
図８（Ｃ）に示した作業の詳細は、図１１及び図１３に示す。
次に、図８（Ｄ）に示したように、両者を嵌着固定することにより、コネクター（９９）を取り付けた釣竿（２）が完成する。
釣竿（２）のフェルール部（２ｂ’）の嵌着装置本体（１）に挿入する部分の外径が、嵌着装置本体（１）の固定具（５）の内径と比較して、小さ過ぎる。
そのため、釣竿（２）のフェルール部（２ｂ’）を、嵌着装置本体（１）に装着するに際して、釣竿（２）のフェルール部（２ｂ’）にコネクター（９９）を固定することによって、釣竿（２）側の外径を、嵌着装置本体（１）の固定具（５）の内径に合わせることができる。
次に、図８（Ｅ）に示したように、コネクター（９９）を取り付けた釣竿（２）と嵌着装置本体（１）を用意する。
嵌着装置本体（１）の固定具（５）の筒状内側に設けられている雌螺旋（４’）は、雄螺旋（４）と螺合している。
予め、固定具（５）の雌螺旋（４’）と雄螺旋（４）との螺合を緩めておく。
釣竿（２）のコネクター（９９）を、固定具（５）の筒状内側から凹窪（３）方向に可能な限り挿入する。
挿入後、固定具（５）の雌螺旋（４’）と雄螺旋（４）との螺合を締め付ける。
次に、図８（Ｆ）に示したように、固定具（５）の雌螺旋（４’）と雄螺旋（４）との螺合の締め付けを完了することにより、釣竿（２）のコネクター（９９）を介した嵌着装置本体（１）へのしっかりとした固定装着が完了する。
【００１９】
図９において、従来の技術におけるアダプター（１０）の外観と、本願発明に係るコネクターの外観を比較対照した。
図９において、嵌着装置本体（１）、釣竿（２）、アダプター（１０）〔フェルール接着アダプター（１０）〕、及び、コネクター（９９）〔フェルール嵌着コネクター（９９）〕を示した。
【００２０】
［図１０］
図１０において、本願発明に係るコネクター（９９）の基本構造を示した。
本願発明に係るコネクター（９９）は、ホルダー（９９ａ）、スリーブ（９９ｂ）、及び、キャップ（９９ｃ）を含んで構成される。
好ましい態様において、ホルダー（９９ａ）とキャップ（９９ｃ）の材質は、ステンレススチールやアルミニウムのような耐食性金属であり、スリーブ（９９ｂ）は、ポリアセタールやポリカーボネートのような耐衝撃性と摺動性に優れるエンジニアリングプラスチックである。
ホルダー（９９ａ）の筒状内部空隙と、スリーブ（９９ｂ）の筒状形状の外側は、摺動して嵌合する。
スリーブ（９９ｂ）の筒状形状の内側と、釣竿（２）に固定したフェルール部（２ｂ’）の外側は、摺動して嵌合する。
スリーブ（９９ｂ）には、スリーブ（９９ｂ）を縦断する方向に少なくとも一つのスリット（Ｓ）が設けてある。
スリット（Ｓ）は、スリーブ（９９ｂ）を完全に縦断するものであっても、途中で中断するものであってもよい。
スリット（Ｓ）は、キャップ（９９ｃ）の雌螺旋と、ホルダー（９９ａ）の雄螺旋の螺合を締め付けて行くことによって、締め付けの度合いに応じてスリット（Ｓ）の隙間が狭まって行き、結果として、スリーブの直径（内径と外径）が小さなものとなって行く。
キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側が圧接嵌着し、スリーブ（９９ｂ）の筒状形状の内側と釣竿（２）に固定したフェルール部（２ｂ’）の外側が圧接嵌着する。
【００２１】
［図１１］
図１１に、長さ方向断面図（長さ方向に沿って中央で切断した模式断面図）により、コネクター（９９）の基本構造における形状を規定する諸元を示した。
図１１（Ａ）には、長さ方向断面図（長さ方向に沿って中央で切断した模式断面図）により、フェルール（２ｂ）の形状を規定するパラメーターを示した。
フェルール（２ｂ）の形状を規定するパラメーターは、以下のとおりである。
Ｌf1；フェルール凸部（２ｂ−１）の長さ
Ｌf2；フェルール凹部（２ｂ−２）の外側の長さ
Ｌf2'；フェルール凹部（２ｂ−２）の内側の奥行き
ｒf ；フェルール凹部（２ｂ−２）の内径
Ｒf1；フェルール凸部（２ｂ−１）の外径
Ｒf2；フェルール凹部（２ｂ−２）の外径
図１１（Ｂ）には、長さ方向断面図（長さ方向に沿って中央で切断した模式断面図）により、スリーブ（９９ｂ）と、キャップ（９９ｃ）の形状を規定するパラメーターを示した。
スリーブ（９９ｂ）の形状を規定するパラメーターは、以下のとおりである。
ｒs1；スリーブ（９９ｂ）のフェルール（２ｂ）挿入前の内径
Ｒs1；スリーブ（９９ｂ）のフェルール（２ｂ）挿入前の外径
Ｌs ；スリーブ（９９ｂ）の長さ
Ｌs1；スリーブ（９９ｂ）の雄テーパー（９９ｂ−１）の長さ
Ｌs2；スリーブ（９９ｂ）の非テーパー部（直線部）の長さ
キャップ（９９ｃ）の形状を規定するパラメーターは、以下のとおりである。
Ｌc1；雌テーパー（９９ｃ−１）の長さ
ｒc；入口孔（９９ｃ−５）の内径
Ｒc；出口孔（９９ｃ−３）の外径
Ｌc2；雌螺旋を切った長さ
図１１（Ｃ）には、長さ方向断面図（長さ方向に沿って中央で切断した模式断面図）により、ホルダー（９９ａ）と、釣竿（２）のフェルール部（２ｂ’）にキャップ（９９ｃ）とスリーブ（９９ｂ）を装着した形状を規定するパラメーターを示した。
ホルダー（９９ａ）の形状を規定するパラメーターは、以下のとおりである。
ｒh1；ホルダー（９９ａ）の前孔（９９ａ−５）の直径
ｒh2；ホルダー（９９ａ）の奥孔（９９ａ−３）の直径
Ｌh1；ホルダー（９９ａ）の雌テーパー（９９ａ−１）の長さ
Ｌh2；ホルダー（９９ａ）の前孔（９９ａ−５）の長さ
Ｌh3；ホルダー（９９ａ）の奥孔（９９ａ−３）の長さ
Ｒh；ホルダー（９９ａ）の外径
Ｌf1'；フェルール凸部のスリーブ（９９ｂ）からの突出部の長さ
ｒs2；スリーブ（９９ｂ）のフェルール（２ｂ）挿入後の内径
Ｒs2；スリーブ（９９ｂ）のフェルール（２ｂ）挿入後の外径
Ｌc2'；雄螺旋を切った長さ
図１１（Ｄ）には、長さ方向断面図（長さ方向に沿って中央で切断した模式断面図）により、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめた状態を規定するパラメーターを示した。
Ｌh1；ホルダー（９９ａ）の雌テーパー（９９ａ−１）の長さ
Ｌh2；ホルダー（９９ａ）の前孔（９９ａ−５）の長さ
Ｌh3；ホルダー（９９ａ）の奥孔（９９ａ−３）の長さ
Ｒh；ホルダー（９９ａ）の外径
【００２２】
［図１２］
図１２に、長さ方向断面図（長さ方向に沿って中央で切断した模式断面図）により、コネクター（９９）の基本構造を示した。
ホルダー（９９ａ）は、好ましくは金属製の筒状の部材、より好ましくはアルミニウム又はステンレス等の非腐食性金属製の筒状の部材であって、奥孔（９９ａ−３）、テーパー孔（９９ａ−４）、及び、前孔（９９ａ−５）を含んでなる中空孔を備える。
ホルダー（９９ａ）には、前孔側の外側端部に雄螺旋（９９ａ−２）が設けてある。
奥孔（９９ａ−３）と前孔（９９ａ−５）の間に雌テーパー（９９ａ−１）が設けてあり、雌テーパー（９９ａ−１）が設けてある空間はテーパー孔（９９ａ−４）に相当する。
スリーブ（９９ｂ）は、好ましくは樹脂製の筒状の部材、より好ましくはエンジニアリングプラスチック又はエラストマーの筒状の部材であって、さらに好ましくはＡＢＳ樹脂、ポリ汗タール樹脂、又は、ポリカーボネート樹脂、ポリクロロプレンエラストマーの筒状の部材であって、長さ方向にスリットが入っていても、入ってなくてもかまわない。
スリーブ（９９ｂ）の長さ方向両側の外側端部に、雄テーパー（９９ｂ−１）が設けてある。
この雄テーパー（９９ｂ−１）の一方は、ホルダー（９９ａ）の雌テーパー（９９ａ−１）に突き当たって楔状に噛み合い、この雄テーパー（９９ｂ−１）の他方は、キャップ（９９ｃ）の雌テーパー（９９ｃ−１）に突き当たって楔状に噛み合う機能を有する。
キャップ（９９ｃ）には、入口孔（９９ｃ−５）と出口孔（９９ｃ−３）が設けてあり、入口孔（９９ｃ−５）と出口孔（９９ｃ−３）の間には雌テーパー（９９ｃ−１）が設けてあり、雌テーパー（９９ｃ−１）が設けてある空間はテーパー孔（９９ｃ−４）に相当する。
【００２３】
［図１３］
図１３に、外観図により、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順を示した。
まず、図１３（Ａ）に示したように、コネクター（９９）のホルダー（９９ａ）の雄螺旋と、キャップ（９９ｃ）の雌螺旋との間の螺合を緩めて、ホルダー（９９ａ）、スリーブ（９９ｂ）、及び、キャップ（９９ｃ）の３点の部品に分解する。
次に、図１３（Ｂ）に示したとおり、竿部（２ａ）の先端に固定してあるフェルール（２ｂ’）を、「キャップ（９９ｃ）⇒スリーブ（９９ｂ）⇒ホルダー（９９ａ）」の順で、挿入する。
次に、図１３（Ｃ）に示したとおり、竿部（２ａ）の先端に固定してあるフェルール（２ｂ’）とスリーブ（９９ｂ）とを嵌合せしめ、さらに、スリーブ（９９ｂ）とホルダー（９９ａ）とを嵌合せしめる。
最後に、図１３（Ｄ）に示したとおり、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめる。
【００２４】
［図１４］
図１４に、長さ方向断面図（長さ方向に沿って中央で切断した模式断面図）により、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順について、図１３（Ｃ）と図１３（Ｄ）についてより詳細に示した。
図１４（Ｃ−１）〜（Ｃ−３）に示したとおり、竿部（２ａ）の先端に固定してあるフェルール（２ｂ’）とスリーブ（９９ｂ）とを嵌合せしめ、さらに、スリーブ（９９ｂ）とホルダー（９９ａ）とを嵌合せしめる。
図１４（Ｄ−１）〜（Ｄ−２）に示したとおり、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめる。
スリーブ（９９ｂ）の長さ方向両側の外側端部に、雄テーパー（９９ｂ−１）が設けてある。
この雄テーパー（９９ｂ−１）の一方は、ホルダー（９９ａ）の雌テーパー（９９ａ−１）に突き当たって楔状に噛み合い、この雄テーパー（９９ｂ−１）の他方は、キャップ（９９ｃ）の雌テーパー（９９ｃ−１）に突き当たって楔状に噛み合う機能を有する。
【００２５】
［図１５］
図１５に、本願発明に係るコネクター（９９）を介した釣竿（２）の嵌着装置本体（１）への装着手順を示した。
図１５（Ａ）〜（Ｂ）に示したように、コネクター部（９９’）を取り付けた釣竿（２）と、嵌着装置本体（１）を用意する。
釣竿（２）のコネクター部（９９’）と嵌着装置本体（１）の固定具（５）を対峙させる。
嵌着装置本体（１）の固定具（５）の筒状内側に設けられている雌螺旋（４’）は、雄螺旋（４）と螺合している。
固定具（５）の雌螺旋（４’）と雄螺旋（４）との螺合を緩める。
図１５（Ｃ）に示したように、釣竿（２）のコネクター部（９９’）を、固定具（５）の筒状内側から凹窪（３）方向に可能な限り奥方向まで挿入する。
挿入後、固定具（５）の雌螺旋（４’）と雄螺旋（４）との螺合を締め付ける。
図１５（Ｄ）に示したように、固定具（５）の雌螺旋（４’）と雄螺旋（４）との螺合の締め付けを完了することにより、釣竿（２）のコネクター（９９）を介した嵌着装置本体（１）へのしっかりとした固定装着が完了する。
【実施例１】
【００２６】
［図１６］
図１６に、実施例１として、本願発明に係るコネクター（９９）のホルダー（９９ａ）の実施態様を示した。
ホルダー（９９ａ）の形状を規定するパラメーターは、以下のとおりである。
ｒh1；ホルダー（９９ａ）の前孔（９９ａ−５）の直径  ＝  １２．５ｍｍ
ｒh2；ホルダー（９９ａ）の奥孔（９９ａ−３）の直径  ＝  １１．０ｍｍ
Ｌh1；ホルダー（９９ａ）の雌テーパー（９９ａ−１）の長さ  ＝  １．２９９ｍｍ
Ｌh2；ホルダー（９９ａ）の前孔（９９ａ−５）の長さ  ＝  ２７．０ｍｍ
Ｌh3；ホルダー（９９ａ）の奥孔（９９ａ−３）の長さ  ＝  ２８．７０１ｍｍ
Ｒh；ホルダー（９９ａ）の外径  ＝  １６ｍｍ
【００２７】
［図１７］
図１７には、実施例１と実施例２で用いる本願発明に係るコネクター（９９）のスリーブ（９９ｂ）の実施態様を示した。
スリーブ（９９ｂ）の形状を規定するパラメーターは、以下のとおりである。
スリーブ（９９ｂ）には、スリーブ（９９ｂ）を縦断する方向に少なくとも一つのスリット（Ｓ）が設けてある。
スリット（Ｓ）は、スリーブ（９９ｂ）を完全に縦断するものであっても、途中で中断するものであってもよい。
スリット（Ｓ）は、キャップ（９９ｃ）の雌螺旋と、ホルダー（９９ａ）の雄螺旋の螺合を締め付けて行くことによって、締め付けの度合いに応じてスリット（Ｓ）の隙間が狭まって行き、結果として、スリーブの直径（内径と外径）が小さなものとなって行く。
ｒs1；スリーブ（９９ｂ）のフェルール（２ｂ）挿入前の内径  ＝    ９．５ｍｍ
Ｒs1；スリーブ（９９ｂ）のフェルール（２ｂ）挿入前の外径  ＝  １２ｍｍ
Ｌs1；スリーブ（９９ｂ）の雄テーパー（９９ｂ−１）の長さ  ＝    １．２９９ｍｍ
Ｌs2；スリーブ（９９ｂ）の非テーパー部（直線部）の長さ    ＝  ３１．４０２ｍｍ
【００２８】
［図１８］
図１８には、実施例１として、本願発明に係るコネクター（９９）のキャップ（９９ｃ）の実施態様を示した。
キャップ（９９ｃ）の形状を規定するパラメーターは、以下のとおりである。
Ｌc1；雌テーパー（９９ｃ−１）の長さ  ＝   １．２９９ｍｍ
ｒc；入口孔（９９ｃ−５）の内径  ＝      １１ｍｍ
Ｒc；出口孔（９９ｃ−３）の外径  ＝      １８ｍｍ
【実施例２】
【００２９】
［図１９］
図１９に、実施例２として、本願発明に係るコネクター（９９）のホルダー（９９ａ）の実施態様を示した。
ホルダー（９９ａ）の形状を規定するパラメーターは、以下のとおりである。
ｒh1；ホルダー（９９ａ）の前孔（９９ａ−５）の直径  ＝  １２．５ｍｍ
ｒh2；ホルダー（９９ａ）の奥孔（９９ａ−３）の直径  ＝  １１．０ｍｍ
Ｌh1；ホルダー（９９ａ）の雌テーパー（９９ａ−１）の長さ  ＝  １．２９９ｍｍ
Ｌh2；ホルダー（９９ａ）の前孔（９９ａ−５）の長さ  ＝  ２７．０ｍｍ
Ｌh3；ホルダー（９９ａ）の奥孔（９９ａ−３）の長さ  ＝  ２３．７０１ｍｍ
Ｒh；ホルダー（９９ａ）の外径  ＝  １６．８〜１７ｍｍ  （テーパー状）
【００３０】
［図２０］
図２０には、実施例２として、本願発明に係るコネクター（９９）のキャップ（９９ｃ）の実施態様を示した。
キャップ（９９ｃ）の形状を規定するパラメーターは、以下のとおりである。
Ｌc1；雌テーパー（９９ｃ−１）の長さ  ＝   １．２９９ｍｍ
ｒc；入口孔（９９ｃ−５）の内径  ＝      １１ｍｍ
Ｒc；出口孔（９９ｃ−３）の外径  ＝      ２１ｍｍ
【産業上の利用可能性】
【００３１】
本願発明に係るコネクター（９９）は、お気に入りの釣竿（２）のフェルール部（２ｂ’）に、お気に入りの嵌着装置本体（１）を装着固定しようとするに際して、釣竿（２）の外径と、嵌着装置本体（１）の凹部の内径が、ミスマッチングであるがために装着困難であるような場合において、可逆的且つ非接着的に介在せしめることにより、釣竿（２）のフェルール部（２ｂ’）の外径を増加せしめ、又は、減少せしめ、嵌着装置本体（１）の内径に合わせることが可能となる。
可逆的且つ非接着的に嵌合固定するので、一旦、釣竿（２）のフェルール部（２ｂ’）にコネクター（９９）を固定しても、釣竿（２）とコネクター（９９）を容易に分離することが可能であり、釣竿を別の使い方に転用することが容易であるという大きな利点がある。
コネクター（９９）を接着固定をしないので、接着剤が不要であり、接着固化時間や養生時間が不要であり、嵌着固定直後に迅速に釣竿を使用することが可能であるという大きな利点がある。
【００３２】
［産業上の利用可能性〜１］
従来の技術によったのであれば、ハンドル（嵌着装置本体（１））の内径と釣竿（２）の外径がかけ離れていてミスマッチな関係にあっても、アダプター（１０）を使用することなく、本願発明に係るコネクター（９９）を介在させることにより、両者（釣竿とハンドル）を嵌着させることが可能となる。
本願発明に係るコネクター（９９）は、お気に入りの釣竿（２）のフェルール部（２ｂ’）に、お気に入りの嵌着装置本体（１）を装着固定しようとするに際して、釣竿（２）の外径と、嵌着装置本体（１）の凹部の内径が、ミスマッチングであるがために装着困難であるような場合において、可逆的且つ非接着的に介在せしめることにより、釣竿（２）のフェルール部（２ｂ’）の外径を増加せしめ、又は、減少せしめ、嵌着装置本体（１）の内径に合わせることが可能となる。
【００３３】
［産業上の利用可能性〜２］
従来の技術によったのであれば、ハンドル（嵌着装置本体（１））と釣竿（２）を嵌着するに先立ち、釣竿（２）とアダプター（１０）を、不可逆的に接着固定する必要があるので、一旦、両者（釣竿とアダプター）を接着固定してしまうと、両者を爾後分離することが困難であったが、本願発明に係るコネクター（９９）を介在させることにより、両者（釣竿とハンドル）を嵌着させても、爾後極めて容易且つ迅速に分離することが可能となる。
可逆的且つ非接着的に嵌合固定するので、一旦、釣竿（２）のフェルール部（２ｂ’）にコネクター（９９）を固定しても、釣竿（２）とコネクター（９９）を容易に分離することが可能であり、釣竿を別の使い方に転用することが容易であるという大きな利点がある。
【００３４】
［産業上の利用可能性〜３］
従来の技術によったのであれば、ハンドル（嵌着装置本体（１））と釣竿（２）を嵌着するに先立ち、釣竿（２）とアダプター（１０）を、不可逆的に接着する必要があるために、接着剤の固化が完了するのに長時間を要したけれども、本願発明に係るコネクター（９９）を介在させることにより、両者（釣竿とハンドル）を嵌着させるのに要する時間は瞬時であり、嵌着操作も極めて容易であるために、嵌着後直ちに使用が可能となる。
コネクター（９９）を接着固定をしないので、接着剤が不要であり、接着固化時間や養生時間が不要であり、嵌着固定直後に迅速に釣竿を使用することが可能であるという大きな利点がある。
【符号の説明】
【００３５】
［嵌着装置本体（１）の基本構造］
１    ；嵌着装置本体
（ハンドル）
２    ；釣竿
２ａ’；竿部
２ｂ’；フェルール部（２ｂ’）
３    ；凹窪
４    ；雄螺旋
４’  ；雌螺旋
５    ；固定具
６    ；繋止輪
７    ；後端
８    ；補助輪
９    ；補助輪
１０    ；アダプター  〔フェルール接着アダプター〕
１０’  ；アダプター部
１１    ；内壁面
【００３６】
［嵌着装置本体（１）の形状を規定するパラメーター］
ｒg；嵌着装置本体（１）の固定具（５）の内径
Ｌg；嵌着装置本体（１）の凹窪（３）の奥行き
Ｌh4；ホルダー（９９ａ）の嵌着装置本体（１）への挿入部の長さ
【００３７】
［釣竿（２）に固定したフェルール（２ｂ）部の形状を規定するパラメーター］
Ｌf1；フェルール凸部（２ｂ−１）の長さ
Ｌf2；フェルール凹部（２ｂ−２）の外側の長さ
Ｌf2'；フェルール凹部（２ｂ−２）の内側の奥行き
ｒf ；フェルール凹部（２ｂ−２）の内径
Ｒf1；フェルール凸部（２ｂ−１）の外径
Ｒf2；フェルール凹部（２ｂ−２）の外径
【００３８】
［コネクター（９９）を構成するホルダー（９９ａ）の形状を規定するパラメーター］
ｒh1；ホルダー（９９ａ）の前孔（９９ａ−５）の直径
ｒh2；ホルダー（９９ａ）の奥孔（９９ａ−３）の直径
Ｌh1；ホルダー（９９ａ）の雌テーパー（９９ａ−１）の長さ
Ｌh2；ホルダー（９９ａ）の前孔（９９ａ−５）の長さ
Ｌh3；ホルダー（９９ａ）の奥孔（９９ａ−３）の長さ
Ｌh4；ホルダー（９９ａ）の嵌着装置本体（１）への挿入部の長さ
Ｒh；ホルダー（９９ａ）の外径
Ｌf1'；フェルール凸部のスリーブ（９９ｂ）からの突出部の長さ
ｒs2；スリーブ（９９ｂ）のフェルール（２ｂ）挿入後の内径
Ｒs2；スリーブ（９９ｂ）のフェルール（２ｂ）挿入後の外径
Ｌc2'；雄螺旋を切った長さ
【００３９】
［コネクター（９９）を構成するスリーブ（９９ｂ）の形状を規定するパラメーター］
ｒs1；スリーブ（９９ｂ）のフェルール（２ｂ）挿入前の内径
Ｒs1；スリーブ（９９ｂ）のフェルール（２ｂ）挿入前の外径
Ｌs ；スリーブ（９９ｂ）の長さ
Ｌs1；スリーブ（９９ｂ）の雄テーパー（９９ｂ−１）の長さ
Ｌs2；スリーブ（９９ｂ）の非テーパー部（直線部）の長さ
【００４０】
［コネクター（９９）を構成するキャップ（９９ｃ）の形状を規定するパラメーター］
Ｌc1；雌テーパー（９９ｃ−１）の長さ
Ｌc2；雌螺旋を切った長さ
ｒc；入口孔（９９ｃ−５）の内径
Ｒc；出口孔（９９ｃ−３）の外径
【図面の簡単な説明】
【００４１】
【図１】図１には、長さ方向断面図により、従来の技術（実公昭５１−０２８３０６号、米国特許第４０４４４８８号）に開示されている釣竿の嵌着装置本体（１）（釣竿の嵌着ハンドル）の構造、及び、この嵌着装置本体（１）への釣竿の装着方法を示した。  この嵌着装置本体（１）の具体的態様としては、例えば、市販品の富士工業株式会社製「フジグリップ（商品名）」を一例として挙げることができる。  図１（Ａ）には、長さ方向断面図（長さ方向に沿って中央で切断した模式断面図）により、嵌着装置本体（１）を示した。  図１（Ｂ）には、長さ方向断面図（長さ方向に沿って中央で切断した模式断面図）により、釣竿（２）を、市販されているアダプター（１０）に挿入して接着した状態を示した。  このアダプター（１０）の具体的態様としては、例えば、市販品の富士工業株式会社製「コネット（商品名）」を一例として挙げることができる。  図１（Ｃ）には、長さ方向断面図（長さ方向に沿って中央で切断した模式断面図）により、嵌着装置本体（１）にアダプター（１０）を介して釣竿（２）を装着した状態を示した。
【図２】図２には、従来の技術における、釣竿（２）のフェルール部（２ｂ’）に不可逆的にアダプター（１０）を接着固定し、接着固定したアダプター（１０）を介して嵌着装置本体（１）に装着する手順を示した。  まず、図２（Ａ）に示したように、竿部（２ａ）とフェルール（２ｂ）を用意する。  次に、図２（Ｂ）に示したように、フェルール（２ｂ）の筒状の内部に竿部（２ａ）を挿入する。  挿入の際には、フェルール（２ｂ）と竿部（２ａ）の接触面に接着剤を塗布して、両者を接着固定する。  両者を接着固定することにより、竿部（２ａ’）とフェルール部（２ｂ’）から構成される釣竿（２）が完成する。  釣竿（２）のアダプター（１０）に挿入する部分の外径が、アダプター（１０）の内径と比較して、小さ過ぎる。  そのため、釣竿（２）を、アダプター（１０）に装着するに際して、釣竿（２）にフェルール（２ｂ）を固定することによって、釣竿（２）側の外径を、アダプター（１０）のの内径に合わせることができる。  次に、図２（Ｃ）に示したように、アダプター（１０）の筒状の内部に釣竿（２）を挿入する。  挿入の際には、アダプター（１０）と釣竿（２）の界面に接着剤を塗布して、両者を接着固定する。  図２（Ｃ）に示した作業の詳細は、図３に示す。  次に、図２（Ｄ）に示したように、両者を接着固定することにより、アダプター部（１０’）を取り付けた釣竿（２）が完成する。  釣竿（２）のフェルール部（２ｂ’）の嵌着装置本体（１）に挿入する部分の外径が、嵌着装置本体（１）の固定具（５）の内径と比較して、小さ過ぎる。  そのため、釣竿（２）のフェルール部（２ｂ’）を、嵌着装置本体（１）に装着するに際して、釣竿（２）のフェルール部（２ｂ’）にアダプター（１０）を固定することによって、釣竿（２）側の外径を、嵌着装置本体（１）の固定具（５）の内径に合わせることができる。  次に、図２（Ｅ）に示したように、アダプター部（１０’）を取り付けた釣竿（２）と嵌着装置本体（１）を用意する。  嵌着装置本体（１）の固定具（５）の筒状内側に設けられている雌螺旋（４’）は、雄螺旋（４）と螺合している。  予め、固定具（５）の雌螺旋（４’）と雄螺旋（４）との螺合を緩めておく。  釣竿（２）のアダプター部（１０’）を、固定具（５）の筒状内側から凹窪（３）方向に可能な限り挿入する。  挿入後、固定具（５）の雌螺旋（４’）と雄螺旋（４）との螺合を締め付ける。  次に、図２（Ｆ）に示したように、固定具（５）の雌螺旋（４’）と雄螺旋（４）との螺合の締め付けを完了することにより、釣竿（２）のアダプター（１０）を介した嵌着装置本体（１）へのしっかりとした固定装着が完了する。
【図３】図３には、従来の技術における、釣竿（２）のフェルール部（２ｂ’）に、アダプター（１０）を接着固定する手順を示した。  アダプター（１０）の筒状の内部に釣竿（２）のフェルール部（２ｂ’）を挿入する。  挿入の際には、アダプター（１０）と釣竿（２）のフェルール部（２ｂ’）との接触面に接着剤を塗布して、両者を接着固定する。  両者を、しっかりと接着固定することにより、釣竿（２）のフェルール部（２ｂ’）に、アダプター部（１０’）を取り付けた釣竿（２）が完成する。
【図４】図４には、従来の技術における、釣竿（２）のアダプター（１０）を介した嵌着装置本体（１）への装着手順を示した。  図４（Ａ）に示したように、アダプター部（１０’）を取り付けた釣竿（２）と、嵌着装置本体（１）を用意する。  釣竿（２）のアダプター部（１０’）と嵌着装置本体（１）の固定具（５）を対峙させる。  嵌着装置本体（１）の固定具（５）の筒状内側に設けられている雌螺旋（４’）は、雄螺旋（４）と螺合している。  固定具（５）の雌螺旋（４’）と雄螺旋（４）との螺合を緩める。  図４（Ｂ）に示したように、釣竿（２）のアダプター部（１０’）を、固定具（５）の筒状内側から凹窪（３）方向に可能な限り奥方向まで挿入する。  挿入後、固定具（５）の雌螺旋（４’）と雄螺旋（４）との螺合を締め付ける。  図４（Ｃ）に示したように、固定具（５）の雌螺旋（４’）と雄螺旋（４）との螺合の締め付けを完了することにより、釣竿（２）のアダプター（１０）を介した嵌着装置本体（１）へのしっかりとした固定装着が完了する。
【図５】図５には、長さ方向断面図（長さ方向に沿って中央で切断した模式断面図）により、フェルール（２ｂ）の基本構造と形状を規定する諸元を示した。  フェルール（２ｂ）の本来的な機能は、通常、お気に入りの釣竿（２）に、お気に入りの嵌着装置本体（１）を装着固定しようとするに際して、釣竿（２）の外径と、嵌着装置本体（１）の凹部の内径が、ミスマッチングであるがために装着困難であるような場合において、釣竿の外径を増して、又は、減じて、嵌着装置本体（１）の内径に合わせるというものである。  フェルール（２ｂ）を利用することにより、お気に入りの釣竿（２）と、お気に入りの嵌着装置本体（１）が、装着部部分の径についてミスマッチングであっても、両者をマッチングさせることが可能となる。  フェルールの基本構造は、フェルール凹部（２ｂ−２）とフェルール凸部（２ｂ−１）を含んで構成される。  フェルール凹部（２ｂ−２）の内側には、釣竿（２）を挿入する。  フェルール凸部（２ｂ−１）の外側は、嵌着装置本体（１）の凹部に挿入する。  このような基本構造を採用することにより、お気に入りの釣竿（２）外径と、お気に入りの嵌着装置本体（１）の内径が、ミスマッチな関係にあっても、両者をマッチングさせることが可能となる。  フェルールのサイズを規定する諸元は、基本的には、フェルール凹部（２ｂ−２）については、内径（ｒf）、奥行き（Ｌf2'）、外径（Ｒf2）、及び、長さ（Ｌf2）、フェルール凸部（２ｂ−１）については、外径（Ｒf1）、及び、長さ（Ｌf1）である。  フェルールは、例えば、釣具の製造販売企業である羽田クラフト（東京都大田区大森北5-14-6、03-3761-6823、http://www.hanecra.com）等により市販されている。  釣竿の外径も、嵌着装置本体（１）の凹部の内径も、様々なサイズのものが存在するために、あらゆる組合せに対応できるように、様々なサイズのフェルールが市販されている。
【図６】図６には、フェルールの規格の一例として、釣竿の外径を増すタイプのフェルールであって、市場において広く流通している羽田クラフト（東京都大田区大森北5-14-6、03-3761-6823、http://www.hanecra.com）製フェルールの規格を示した。  フェルールのサイズを規定する諸元は、基本的には、フェルール凹部（２ｂ−２）については、内径（ｒf）、奥行き（Ｌf2'）、外径（Ｒf2）、及び、長さ（Ｌf2）、フェルール凸部（２ｂ−１）については、外径（Ｒf1）、及び、長さ（Ｌf1）である。
【図７】図７には、長さ方向断面図（長さ方向に沿って中央で切断した模式断面図）により、従来の技術（実公昭５１−０２８３０６号、米国特許第４０４４４８８号）に開示されている釣竿の嵌着装置本体（１）（釣竿の嵌着ハンドル）への、本願発明に係るコネクター（９９）を介し、さらにフェルール（２ｂ）を介した釣竿（２）の装着手順を示した。  図７（Ａ）には、長さ方向断面図（長さ方向に沿って中央で切断した模式断面図）により、嵌着装置本体（１）、コネクター（９９）、フェルール（２ｂ）を示した。  図７（Ｂ）には、長さ方向断面図（長さ方向に沿って中央で切断した模式断面図）により、嵌着装置本体（１）と、フェルール（２ｂ）を嵌着したコネクター（９９）を示した。  図７（Ｂ）において、嵌着装置本体（１）の形状を規定するパラメーターは次のとおりである。  ｒg；嵌着装置本体（１）の固定具（５）の内径  Ｌg；嵌着装置本体（１）の凹窪（３）の奥行き  図７（Ｂ）において、コネクター（９９）を構成するホルダー（９９ａ）の形状を規定するパラメーターは、次のとおりである。  Ｌh4；ホルダー（９９ａ）の嵌着装置本体（１）への挿入部の長さ  Ｒh；ホルダー（９９ａ）の外径  図７（Ｃ）には、長さ方向断面図（長さ方向に沿って中央で切断した模式断面図）により、フェルール（２ｂ）を嵌着した状態のコネクター（９９）を、嵌着装置本体（１）に嵌着した状態を示した。
【図８】図８には、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順を示した。  図２に示したように、従来の技術においては、釣竿（２）のフェルール部（２ｂ’）に不可逆的にアダプター（１０）を接着固定してしまうために、一旦、釣竿（２）にアダプター（１０）を接着固定してしまうと、釣竿（２）とアダプター（１０）を分離することが困難であり、釣竿を別の使い方に転用することが困難であった。  また、接着固定に際しては、接着剤が必要であり、接着後には、接着固化時間や養生時間が必要であり、接着直後に釣竿を使用することが困難であった。  対照的に、本願発明においては、釣竿（２）のフェルール部（２ｂ’）に可逆的にコネクター（９９）を嵌合固定するので、一旦、釣竿（２）のフェルール部（２ｂ’）にコネクター（９９）を固定しても、釣竿（２）とコネクター（９９）を容易に分離することが可能であり、釣竿を別の使い方に転用することが容易であるという大きな利点がある。  また、接着固定をしないので、接着剤が不要であり、接着固化時間や養生時間が不要であり、嵌着固定直後に迅速に釣竿を使用することが可能であるという大きな利点がある。  まず、図８（Ａ）に示したように、竿部（２ａ）とフェルール（２ｂ）を用意する。  次に、図８（Ｂ）に示したように、フェルール（２ｂ）の筒状の内部に竿部（２ａ）を挿入する。  挿入の際には、フェルール（２ｂ）と竿部（２ａ）の接触面に接着剤を塗布して、両者を接着固定する。  両者を接着固定することにより、竿部（２ａ’）とフェルール部（２ｂ’）から構成される釣竿（２）が完成する。  釣竿（２）のコネクター（９９）に挿入する部分の外径が、コネクター（９９）の内径と比較して、小さ過ぎる。  そのため、釣竿（２）を、コネクター（９９）に装着するに際して、釣竿（２）にフェルール（２ｂ）を固定することによって、釣竿（２）側の外径を、コネクター（９９）のの内径に合わせることができる。  次に、図８（Ｃ）に示したように、コネクター（９９）の筒状の内部に釣竿（２）のフェルール部（２ｂ’）を挿入する。  挿入の際には、コネクター（９９）におけるホルダー（９９ａ）の雄螺旋とキャップ（９９ｃ）の雌螺旋との螺合を緩めておく。  コネクター（９９）の筒状の内部に釣竿（２）のフェルール部（２ｂ’）を可能な限り奥方向まで挿入した後、コネクター（９９）におけるホルダー（９９ａ）の雄螺旋とキャップ（９９ｃ）の雌螺旋との螺合を締め付けることにより、釣竿（２）のフェルール部（２ｂ’）とコネクター（９９）の嵌着が完了する。  図８（Ｃ）に示した作業の詳細は、図１１及び図１３に示す。  次に、図８（Ｄ）に示したように、両者を嵌着固定することにより、コネクター（９９）を取り付けた釣竿（２）が完成する。  釣竿（２）のフェルール部（２ｂ’）の嵌着装置本体（１）に挿入する部分の外径が、嵌着装置本体（１）の固定具（５）の内径と比較して、小さ過ぎる。  そのため、釣竿（２）のフェルール部（２ｂ’）を、嵌着装置本体（１）に装着するに際して、釣竿（２）のフェルール部（２ｂ’）に��ネクター（９９）を固定することによって、釣竿（２）側の外径を、嵌着装置本体（１）の固定具（５）の内径に合わせることができる。  次に、図８（Ｅ）に示したように、コネクター（９９）を取り付けた釣竿（２）と嵌着装置本体（１）を用意する。  嵌着装置本体（１）の固定具（５）の筒状内側に設けられている雌螺旋（４’）は、雄螺旋（４）と螺合している。  予め、固定具（５）の雌螺旋（４’）と雄螺旋（４）との螺合を緩めておく。  釣竿（２）のコネクター（９９）を、固定具（５）の筒状内側から凹窪（３）方向に可能な限り挿入する。  挿入後、固定具（５）の雌螺旋（４’）と雄螺旋（４）との螺合を締め付ける。  次に、図８（Ｆ）に示したように、固定具（５）の雌螺旋（４’）と雄螺旋（４）との螺合の締め付けを完了することにより、釣竿（２）のコネクター（９９）を介した嵌着装置本体（１）へのしっかりとした固定装着が完了する。
【図９】図９において、従来の技術におけるアダプター（１０）の外観と、本願発明に係るコネクターの外観を比較対照した。  図９において、嵌着装置本体（１）、釣竿（２）、アダプター（１０）〔フェルール接着アダプター（１０）〕、及び、コネクター（９９）〔フェルール嵌着コネクター（９９）〕を示した。
【図１０】図１０において、本願発明に係るコネクター（９９）の基本構造を示した。  本願発明に係るコネクター（９９）は、ホルダー（９９ａ）、スリーブ（９９ｂ）、及び、キャップ（９９ｃ）を含んで構成される。  好ましい態様において、ホルダー（９９ａ）とキャップ（９９ｃ）の材質は、ステンレススチールやアルミニウムのような耐食性金属であり、スリーブ（９９ｂ）は、ポリアセタールやポリカーボネートのような耐衝撃性と摺動性に優れるエンジニアリングプラスチックである。  ホルダー（９９ａ）の筒状内部空隙と、スリーブ（９９ｂ）の筒状形状の外側は、摺動して嵌合する。  スリーブ（９９ｂ）の筒状形状の内側と、釣竿（２）に固定したフェルール部（２ｂ’）の外側は、摺動して嵌合する。  スリーブ（９９ｂ）には、スリーブ（９９ｂ）を縦断する方向に少なくとも一つのスリット（Ｓ）が設けてある。  スリット（Ｓ）は、スリーブ（９９ｂ）を完全に縦断するものであっても、途中で中断するものであってもよい。  スリット（Ｓ）は、キャップ（９９ｃ）の雌螺旋と、ホルダー（９９ａ）の雄螺旋の螺合を締め付けて行くことによって、締め付けの度合いに応じてスリット（Ｓ）の隙間が狭まって行き、結果として、スリーブの直径（内径と外径）が小さなものとなって行く。  キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側が圧接嵌着し、スリーブ（９９ｂ）の筒状形状の内側と釣竿（２）に固定したフェルール部（２ｂ’）の外側が圧接嵌着する。
【図１１】図１１には、長さ方向断面図（長さ方向に沿って中央で切断した模式断面図）により、コネクター（９９）の基本構造における形状を規定する諸元を示した。  図１１（Ａ）には、長さ方向断面図（長さ方向に沿って中央で切断した模式断面図）により、フェルール（２ｂ）の形状を規定するパラメーターを示した。  フェルール（２ｂ）の形状を規定するパラメーターは、以下のとおりである。  Ｌf1；フェルール凸部（２ｂ−１）の長さ  Ｌf2；フェルール凹部（２ｂ−２）の外側の長さ  Ｌf2'；フェルール凹部（２ｂ−２）の内側の奥行き  ｒf ；フェルール凹部（２ｂ−２）の内径  Ｒf1；フェルール凸部（２ｂ−１）の外径  Ｒf2；フェルール凹部（２ｂ−２）の外径  図１１（Ｂ）には、長さ方向断面図（長さ方向に沿って中央で切断した模式断面図）により、スリーブ（９９ｂ）と、キャップ（９９ｃ）の形状を規定するパラメーターを示した。  スリーブ（９９ｂ）の形状を規定するパラメーターは、以下のとおりである。  ｒs1；スリーブ（９９ｂ）のフェルール（２ｂ）挿入前の内径  Ｒs1；スリーブ（９９ｂ）のフェルール（２ｂ）挿入前の外径  Ｌs ；スリーブ（９９ｂ）の長さ  Ｌs1；スリーブ（９９ｂ）の雄テーパー（９９ｂ−１）の長さ  Ｌs2；スリーブ（９９ｂ）の非テーパー部（直線部）の長さ  キャップ（９９ｃ）の形状を規定するパラメーターは、以下のとおりである。  Ｌc1；雌テーパー（９９ｃ−１）の長さ  ｒc；入口孔（９９ｃ−５）の内径  Ｒc；出口孔（９９ｃ−３）の外径  Ｌc2；雌螺旋を切った長さ  図１１（Ｃ）には、長さ方向断面図（長さ方向に沿って中央で切断した模式断面図）により、ホルダー（９９ａ）と、釣竿（２）のフェルール部（２ｂ’）にキャップ（９９ｃ）とスリーブ（９９ｂ）を装着した形状を規定するパラメーターを示した。  ホルダー（９９ａ）の形状を規定するパラメーターは、以下のとおりである。  ｒh1；ホルダー（９９ａ）の前孔（９９ａ−５）の直径  ｒh2；ホルダー（９９ａ）の奥孔（９９ａ−３）の直径  Ｌh1；ホルダー（９９ａ）の雌テーパー（９９ａ−１）の長さ  Ｌh2；ホルダー（９９ａ）の前孔（９９ａ−５）の長さ  Ｌh3；ホルダー（９９ａ）の奥孔（９９ａ−３）の長さ  Ｒh；ホルダー（９９ａ）の外径  Ｌf1'；フェルール凸部のスリーブ（９９ｂ）からの突出部の長さ  ｒs2；スリーブ（９９ｂ）のフェルール（２ｂ）挿入後の内径  Ｒs2；スリーブ（９９ｂ）のフェルール（２ｂ）挿入後の外径  Ｌc2'；雄螺旋を切った長さ  図１１（Ｄ）には、長さ方向断面図（長さ方向に沿って中央で切断した模式断面図）により、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめた状態を規定するパラメーターを示した。  Ｌh4；ホルダー（９９ａ）の嵌着装置本体（１）への挿入部の長さ  Ｒh；ホルダー（９９ａ）の外径
【図１２】図１２には、長さ方向断面図（長さ方向に沿って中央で切断した模式断面図）により、コネクター（９９）の基本構造を示した。  ホルダー（９９ａ）は、好ましくは金属製の筒状の部材、より好ましくはアルミニウム又はステンレス等の非腐食性金属製の筒状の部材であって、奥孔（９９ａ−３）、テーパー孔（９９ａ−４）、及び、前孔（９９ａ−５）を含んでなる中空孔を備える。  ホルダー（９９ａ）には、前孔側の外側端部に雄螺旋（９９ａ−２）が設けてある。  奥孔（９９ａ−３）と前孔（９９ａ−５）の間に雌テーパー（９９ａ−１）が設けてあり、雌テーパー（９９ａ−１）が設けてある空間はテーパー孔（９９ａ−４）に相当する。  スリーブ（９９ｂ）は、好ましくは樹脂製の筒状の部材、より好ましくはエンジニアリングプラスチック又はエラストマーの筒状の部材であって、さらに好ましくはＡＢＳ樹脂、ポリ汗タール樹脂、又は、ポリカーボネート樹脂、ポリクロロプレンエラストマーの筒状の部材であって、長さ方向にスリットが入っていても、入ってなくてもかまわない。  スリーブ（９９ｂ）の長さ方向両側の外側端部に、雄テーパー（９９ｂ−１）が設けてある。  この雄テーパー（９９ｂ−１）の一方は、ホルダー（９９ａ）の雌テーパー（９９ａ−１）に突き当たって楔状に噛み合い、この雄テーパー（９９ｂ−１）の他方は、キャップ（９９ｃ）の雌テーパー（９９ｃ−１）に突き当たって楔状に噛み合う機能を有する。  キャップ（９９ｃ）には、入口孔（９９ｃ−５）と出口孔（９９ｃ−３）が設けてあり、入口孔（９９ｃ−５）と出口孔（９９ｃ−３）の間には雌テーパー（９９ｃ−１）が設けてあり、雌テーパー（９９ｃ−１）が設けてある空間はテーパー孔（９９ｃ−４）に相当する。
【図１３】図１３には、外観図により、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順を示した。  まず、図１３（Ａ）に示したように、コネクター（９９）のホルダー（９９ａ）の雄螺旋と、キャップ（９９ｃ）の雌螺旋との間の螺合を緩めて、ホルダー（９９ａ）、スリーブ（９９ｂ）、及び、キャップ（９９ｃ）の３点の部品に分解する。  次に、図１３（Ｂ）に示したとおり、竿部（２ａ）の先端に固定してあるフェルール（２ｂ’）を、「キャップ（９９ｃ）⇒スリーブ（９９ｂ）⇒ホルダー（９９ａ）」の順で、挿入する。  次に、図１３（Ｃ）に示したとおり、竿部（２ａ）の先端に固定してあるフェルール（２ｂ’）とスリーブ（９９ｂ）とを嵌合せしめ、さらに、スリーブ（９９ｂ）とホルダー（９９ａ）とを嵌合せしめる。  最後に、図１３（Ｄ）に示したとおり、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめる。
【図１４】図１４には、長さ方向断面図（長さ方向に沿って中央で切断した模式断面図）により、本願発明における、釣竿（２）のフェルール部（２ｂ’）に可逆的にコネクター（９９）を非接着的に嵌合固定し、嵌合固定したコネクター（９９）を介して嵌着装置本体（１）に装着する手順について、図１３（Ｃ）と図１３（Ｄ）についてより詳細に示した。  図１４（Ｃ−１）〜（Ｃ−３）に示したとおり、竿部（２ａ）の先端に固定してあるフェルール（２ｂ’）とスリーブ（９９ｂ）とを嵌合せしめ、さらに、スリーブ（９９ｂ）とホルダー（９９ａ）とを嵌合せしめる。  図１４（Ｄ−１）〜（Ｄ−２）に示したとおり、キャップ（９９ｃ）の雌螺旋と、ホルダー（９９ａ）の雄螺旋の螺合を締め付けることによって、ホルダー（９９ａ）の筒状内部空隙とスリーブ（９９ｂ）の筒状形状の外側を圧接嵌着せしめ、スリーブ（９９ｂ）の筒状形状の内側と釣竿（２）に固定したフェルール部（２ｂ’）の外側を圧接嵌着せしめる。  スリーブ（９９ｂ）の長さ方向両側の外側端部に、雄テーパー（９９ｂ−１）が設けてある。  この雄テーパー（９９ｂ−１）の一方は、ホルダー（９９ａ）の雌テーパー（９９ａ−１）に突き当たって楔状に噛み合い、この雄テーパー（９９ｂ−１）の他方は、キャップ（９９ｃ）の雌テーパー（９９ｃ−１）に突き当たって楔状に噛み合う機能を有する。
【図１５】図１５には、本願発明に係るコネクター（９９）を介した釣竿（２）の嵌着装置本体（１）への装着手順を示した。  図１５（Ａ）〜（Ｂ）に示したように、コネクター部（９９’）を取り付けた釣竿（２）と、嵌着装置本体（１）を用意する。  釣竿（２）のコネクター部（９９’）と嵌着装置本体（１）の固定具（５）を対峙させる。  嵌着装置本体（１）の固定具（５）の筒状内側に設けられている雌螺旋（４’）は、雄螺旋（４）と螺合している。  固定具（５）の雌螺旋（４’）と雄螺旋（４）との螺合を緩める。  図１５（Ｃ）に示したように、釣竿（２）のコネクター部（９９’）を、固定具（５）の筒状内側から凹窪（３）方向に可能な限り奥方向まで挿入する。  挿入後、固定具（５）の雌螺旋（４’）と雄螺旋（４）との螺合を締め付ける。  図１５（Ｄ）に示したように、固定具（５）の雌螺旋（４’）と雄螺旋（４）との螺合の締め付けを完了することにより、釣竿（２）のコネクター（９９）を介した嵌着装置本体（１）へのしっかりとした固定装着が完了する。
【図１６】図１６には、実施例１として、本願発明に係るコネクター（９９）のホルダー（９９ａ）の実施態様を示した。  ホルダー（９９ａ）の形状を規定するパラメーターは、以下のとおりである。  ｒh1；ホルダー（９９ａ）の前孔（９９ａ−５）の直径  ＝  １２．５ｍｍ  ｒh2；ホルダー（９９ａ）の奥孔（９９ａ−３）の直径  ＝  １１．０ｍｍ  Ｌh1；ホルダー（９９ａ）の雌テーパー（９９ａ−１）の長さ  ＝  １．２９９ｍｍ  Ｌh2；ホルダー（９９ａ）の前孔（９９ａ−５）の長さ  ＝  ２７．０ｍｍ  Ｌh3；ホルダー（９９ａ）の奥孔（９９ａ−３）の長さ  ＝  ２８．７０１ｍｍ  Ｒh；ホルダー（９９ａ）の外径  ＝  １６ｍｍ
【図１７】図１７には、実施例１と実施例２で用いる本願発明に係るコネクター（９９）のスリーブ（９９ｂ）の実施態様を示した。  スリーブ（９９ｂ）には、スリーブ（９９ｂ）を縦断する方向に少なくとも一つのスリット（Ｓ）が設けてある。  スリット（Ｓ）は、スリーブ（９９ｂ）を完全に縦断するものであっても、途中で中断するものであってもよい。  スリット（Ｓ）は、キャップ（９９ｃ）の雌螺旋と、ホルダー（９９ａ）の雄螺旋の螺合を締め付けて行くことによって、締め付けの度合いに応じてスリット（Ｓ）の隙間が狭まって行き、結果として、スリーブの直径（内径と外径）が小さなものとなって行く。  スリーブ（９９ｂ）の形状を規定するパラメーターは、以下のとおりである。  ｒs1；スリーブ（９９ｂ）のフェルール（２ｂ）挿入前の内径  ＝    ９．５ｍｍ  Ｒs1；スリーブ（９９ｂ）のフェルール（２ｂ）挿入前の外径  ＝  １２ｍｍ  Ｌs1；スリーブ（９９ｂ）の雄テーパー（９９ｂ−１）の長さ  ＝    １．２９９ｍｍ  Ｌs2；スリーブ（９９ｂ）の非テーパー部（直線部）の長さ    ＝  ３１．４０２ｍｍ
【図１８】図１８には、実施例１として、本願発明に係るコネクター（９９）のキャップ（９９ｃ）の実施態様を示した。  キャップ（９９ｃ）の形状を規定するパラメーターは、以下のとおりである。  Ｌc1；雌テーパー（９９ｃ−１）の長さ  ＝   １．２９９ｍｍ  ｒc；入口孔（９９ｃ−５）の内径  ＝      １１ｍｍ  Ｒc；出口孔（９９ｃ−３）の外径  ＝      １８ｍｍ
【図１９】図１９には、実施例２として、本願発明に係るコネクター（９９）のホルダー（９９ａ）の実施態様を示した。  ホルダー（９９ａ）の形状を規定するパラメーターは、以下のとおりである。  ｒh1；ホルダー（９９ａ）の前孔（９９ａ−５）の直径  ＝  １２．５ｍｍ  ｒh2；ホルダー（９９ａ）の奥孔（９９ａ−３）の直径  ＝  １１．０ｍｍ  Ｌh1；ホルダー（９９ａ）の雌テーパー（９９ａ−１）の長さ  ＝  １．２９９ｍｍ  Ｌh2；ホルダー（９９ａ）の前孔（９９ａ−５）の長さ  ＝  ２７．０ｍｍ  Ｌh3；ホルダー（９９ａ）の奥孔（９９ａ−３）の長さ  ＝  ２３．７０１ｍｍ  Ｒh；ホルダー（９９ａ）の外径  ＝  １６．８〜１７ｍｍ  （テーパー状）
【図２０】図２０には、実施例２として、本願発明に係るコネクター（９９）のキャップ（９９ｃ）の実施態様を示した。  キャップ（９９ｃ）の形状を規定するパラメーターは、以下のとおりである。  Ｌc1；雌テーパー（９９ｃ−１）の長さ  ＝   １．２９９ｍｍ  ｒc；入口孔（９９ｃ−５）の内径  ＝      １１ｍｍ  Ｒc；出口孔（９９ｃ−３）の外径  ＝      ２１ｍｍ
【図１】
2011109983.tif 000003
【図２】
2011109983.tif 000004
【図３】
2011109983.tif 000005
【図４】
2011109983.tif 000006
【図５】
2011109983.tif 000007
【図６】
2011109983.tif 000008
【図７】
2011109983.tif 000009
【図８】
2011109983.tif 000010
【図９】
2011109983.tif 000011
【図１０】
2011109983.tif 000012
【図１１】
2011109983.tif 000013
【図１２】
2011109983.tif 000014
【図１３】
2011109983.tif 000015
【図１４】
2011109983.tif 000016
【図１５】
2011109983.tif 000017
【図１６】
2011109983.tif 000018
【図１７】
2011109983.tif 000019
【図１８】
2011109983.tif 000020
【図１９】
2011109983.tif 000021
【図２０】
2011109983.tif 000022